(57)【要約】【課題】建物に備えられる空調により形成される気流を利用し、建物に備えられた設備より漏洩する気体を、建物内部に拡散させることなく速やかに建物外部へ排気するための排気システムを提案する。【解決手段】空気より比重の軽い特定の気体を扱う設備を備えた建物に備えた該気体を排気させるための排気システムにおいて、気体発生設備２５の上方に建物外部と連通する排気口１３を設け、空調の吹出口１７を床１６に設けるとともに、空調の吸入口１２を天井１１に設けて、特定気体３０の発生する場所の周囲において床１６から天井１１に向かう空調による気流を形成した。そして、排気口１３が天井１１の最高位置に位置するよう天井１１に勾配を形成した。また、建物１０の床部を二重床として床１６をパネル式床とし、天井部を二重天井として天井１１をパネル式天井とした。【選択図】図１
2006046766.tif 000002
【特許請求の範囲】
【請求項１】
空気より比重の軽い特定の気体を扱う設備を備えた建物において該特定の気体を排気させるための排気システムであって、
建物内における特定の気体の漏洩が発生する場所の上方に建物外部と連通する排気口を設け、
建物に備えた空調の吹出口を床に設けるとともに、空調の吸入口を天井に設けて、特定の気体の漏洩が発生する場所の周囲において床から天井に向かう空調による気流を形成したことを、
特徴とする排気システム。
【請求項２】
前記排気口を天井に設け、
該排気口を最高位置とするべく天井に勾配を形成した、
請求項１に記載の排気システム。
【請求項３】
前記建物において、
床の下方に基礎床を設けて二重床を構成するともに、
床を着脱可能な複数のパネルを接続配置したパネル式床とした、
請求項１又は請求項２に記載の排気システム。
【請求項４】
前記建物において、
天井の上方に基礎天井を設けて二重天井を構成するともに、
天井を着脱可能な複数のパネルを接続配置したパネル式天井とした、
請求項１〜請求項３のいずれかに記載の排気システム。
【請求項５】
空気より比重の軽い特定の気体を扱う設備を備えた建物において該特定の気体を排気させるための排気方法であって、
建物内における特定の気体の漏洩が発生する場所の周囲において特定の気体の流れに合わせた空調による気流を形成し、
特定の気体の漏洩が発生する場所の上方に設けた建物外部と連通する排気口より特定の気体を排気することを、
特徴とする排気方法。
【請求項６】
前記建物において、
空調による気流を形成する空調の吹出口及び空調の吸入口を移動可能とするとともに、
排気口を移動可能とする、
請求項５に記載の排気方法。
【発明の詳細な説明】
【技術分野】
【０００１】
本発明は、水素ガス等の空気よりも軽い気体を扱う建物における、空気よりも軽い気体の排気システムであって、建物に備えられる空調システムを利用してより効果的に気体を排気させるための技術に関する。
【背景技術】
【０００２】
水素ガス等の空気よりも軽い気体は、空気よりも比重が軽いために自然に上昇し、さらに、拡散しやすいという特性がある。また、例えば、高濃度の水素ガスは、空気と混合して何らかの原因により着火すれば、爆発が生じるおそれがある。
このため、水素ガス等、爆発の発生や人体に危害を与える虞のある気体等が建物内部で漏洩した場合は、できる限り早急に建物の外に排気して大気拡散させる必要がある。
そこで、従来、水素ガス等、爆発の発生や人体に危害を与える虞のある気体を扱う設備を備えた建物に強制的換気機構を備えて、これらの気体を速やかに建物の外へ排気する技術が公知となっている。
例えば、特許文献１に記載の技術である。この技術では、給水素スタンドの構造であって、水素貯溜タンクの配置される建物の屋根に傾斜を設け、その傾斜の最上部に開口を形成する。これにより、水素貯溜タンクから漏れ出た水素ガスが、屋根の下面の傾斜に沿って建物外部へ速やかに排出され、大気に拡散されるようにしている。
【特許文献１】特開平７−１０１３１６号公報
【発明の開示】
【発明が解決しようとする課題】
【０００３】
建物に備えられた設備より、爆発を発生させる虞のある気体が漏洩したことにて生じる爆発の防止及び爆発規模縮小のためや、人体に危害を与える虞のある気体が漏洩したことにて生じる被害発生の防止及び規模縮小のためには、漏洩した気体が拡散するよりも早く排出させることが、より好ましい。
しかし、建物には温度・湿度を調整するために空調設備が備えられていることが一般的であり、この空調設備により形成される空調気流によっては、排気されるべき気体の直線的で速やかな上昇が妨げられることがある。例えば、空調により生じる気流の方向が排気されるべき気体の比重の差による移動方向と異なる場合には、排気されるべき気体は上昇を妨げられ、該気体が建物内部を上昇して排気口へ至るまでに乱流拡散されて、建物内部に不均一に広く拡散してしまうおそれがあった。
【０００４】
そこで、本発明では、建物に備えられる空調により形成される気流を利用し、建物に備えられた設備より漏洩する気体を、建物内部に拡散させることなく速やかに建物外部へ排気するための排気システムを提案する。
さらに、設備の配置が変更された場合であっても、容易にその変更に対応することのできる排気システムを提案する。
【課題を解決するための手段】
【０００５】
本発明の解決しようとする課題は以上の如くであり、次にこの課題を解決するための手段を説明する。
【０００６】
即ち、請求項１においては、空気より比重の軽い特定の気体を扱う設備を備えた建物において該特定の気体を排気させるための排気システムであって、建物内における特定の気体の漏洩が発生する場所の上方に建物外部と連通する排気口を設け、建物に備えた空調の吹出口を床に設けるとともに、空調の吸入口を天井に設けて、特定の気体の漏洩が発生する場所の周囲において床から天井に向かう空調による気流を形成したものである。
【０００７】
請求項２においては、前記排気口を天井に設け、該排気口を最高位置とするべく天井に勾配を形成したものである。
【０００８】
請求項３においては、前記建物において、床の下方に基礎床を設けて二重床を構成するともに、床を着脱可能な複数のパネルを接続配置したパネル式床としたものである。
【０００９】
請求項４においては、前記建物において、天井の上方に基礎天井を設けて二重天井を構成するともに、天井を着脱可能な複数のパネルを接続配置したパネル式天井としたものである。
【００１０】
請求項５においては、空気より比重の軽い特定の気体を扱う設備を備えた建物において該特定の気体を排気させるための排気方法であって、建物内における特定の気体の漏洩が発生する場所の周囲において特定の気体の流れに合わせた空調による気流を形成し、特定の気体の漏洩が発生する場所の上方に設けた建物外部と連通する排気口より特定の気体を排気するものである。
【００１１】
請求項６においては、前記建物において、空調による気流を形成する空調の吹出口及び空調の吸入口を移動可能とするとともに、排気口を移動可能とするものである。
【発明の効果】
【００１２】
本発明の効果として、以下に示すような効果を奏する。
【００１３】
請求項１においては、空調により形成される空調気流の流れと、特定の気体が比重の差により移動する方向とが略同一方向となり、空調気流が特定の気体の上昇を妨げない。これにより、特定の気体は、気流に沿って上昇し、拡散することなく、排気口に至る。拡散する特定の気体を低減させることができ、建物内部に残留する特定の気体の量を低減させることができる。
【００１４】
請求項２においては、天井近傍において、天井の傾きに沿って上方に位置する排気口へ向かう気流が形成され、天井近傍にある気体はより速やかに排気口へ至ることができる。また、特定の気体の発生場所が多少ずれても、排気口へ至らしめることができる。
【００１５】
請求項３においては、排気すべき特定の気体の発生場所が移動した時にも、吹出口を形成した床パネルの位置を変更することで、特定の気体を拡散させることなく排気口に至らしめる空調気流を簡易に形成することができる。吹出口の位置の変更を容易とすることができる。
【００１６】
請求項４においては、排気すべき特定の気体の発生場所が移動した時にも、吸入口や排気口を形成した天井パネルの位置を変更することで、特定の気体を拡散させることなく排気口に至らしめる空調気流を簡易に形成することができる。吸入口や排気口の位置の変更を容易とすることができる。
【００１７】
請求項５においては、空調により形成される空調気流の流れと、特定の気体が比重の差により上昇する方向とが略同一方向となり、空調気流が特定の気体の上昇を妨げない。これにより、特定の気体は、気流に沿って上昇し、拡散することなく、排気口に至る。拡散する特定の気体を低減させることができ、建物内部に残留する特定の気体の量を低減させることができる。
【００１８】
請求項６においては、特定の気体の漏洩が発生する場所が変更しても、これに応じて該特定の気体を排気するために適した気流を形成することができる。
【発明を実施するための最良の形態】
【００１９】
次に、発明の実施の形態を説明する。
図１は本発明の実施例に係る循環式の空調を利用した排気システムの構成を示す図、図２は本発明の実施例に係る排出式の空調を利用した排気システムの構成を示す図、図３は天井の別形態を示す図、図４は天井パネルと床パネルの配置構成を示す図、図５は天井パネルと床パネルの配置構成の別形態を示す図である。
【００２０】
本発明に係る排気システムを備えた建物の一実施例について説明する。
排気システムを備えた建物１０では、空気よりも軽い特定の気体（特定気体３０）を発生させる気体発生設備２５を備えており、通常その気体は漏洩しないが、万が一、気体発生設備２５より特定気体３０が漏洩した場合に、その漏洩した特定気体３０を強制的に排気させる機構を備えている。特定気体３０となる気体は、例えば、水素やアンモニア等の空気よりも軽い気体であって、建物内部に漏洩した場合には排気されるべき気体である。
【００２１】
排気システムでは、気体発生設備２５にて特定気体３０が漏洩したときには、建物１０内部に特定気体３０を拡散させることなく、建物１０外部へ排気して大気へ拡散させることを、特徴としている。
このための構造として、床１６に空調の吹出口１７を設け、天井１１に吸入口１２を設けて、気体発生設備２５の周囲に常に上昇する空気の流れを形成するとともに、特定気体３０の発生する場所である気体発生設備２５の上方に建物１０外部と連通する排気口１３を開口している。これにより、気体発生設備２５から特定気体３０が漏洩した場合、漏洩した特定気体３０が拡散することなく直線的に排気口１３へ向かって上昇し、速やかに建物１０の外部へ排出されるようにしている。
【００２２】
水素等の、空気よりも軽い気体である特定気体３０は、建物１０の内部に漏洩したときには、その浮力により上昇しようとする。このとき、空調により形成される建物１０内部の気流は下から上に向かう方向であって、特定気体３０の上昇を妨げることがないので、特定気体３０は建物１０内部に拡散するよりも前に、大部分が排気口１３から排気されるのである。
これより、建物１０内部に拡散して残留する特定気体３０の量を低減させることができる。従って、特定気体３０が水素ガスであったときに、水素ガスに着火した場合の爆発の威力を低減させることが期待される。
【００２３】
また、本発明に係る排気システムを備えた建物１０は、建物１０内部において、気体発生設備２５の配置を変更しても、建物１０の大幅な改築を必要とすることなく、それに対応することができることを特徴としている。
このための構造として、建物１０の天井１１及び床１６を一定形状の天井パネル又は床パネルを接続して形成した接続パネル式天井又は床としている。吹出口１７を形成した床パネル３２と、吸入口１２を形成した天井パネル３４と、排気口１３を形成した天井パネル３５の配置を変更し、天井裏空間３８又は床下空間３９に設けられた管を接続し直すことにより、容易に気体発生設備２５の配置の変更に対応することができるようにしている。
【００２４】
次に、上記排気システムの構造について、詳細に説明する。
排気システムは、循環式の空調を利用した排気システムと、排出式の空調を利用した排気システムの二種類があり、それぞれについて説明する。
【００２５】
［循環式の空調を利用した排気システム］
図１は、循環式の空調を利用した排気システムの概要を示す図である。
建物１０の床部では、基礎床１８の上に複数の吹出口１７・１７・・・が形成された床１６が設けられる。床１６と基礎床１８との間には床下空間３９が形成される。
空調機２０では、気体の温度や量の調整が行われ、調整された気体が、送気管２１を通じて建物１０の基礎床１８に形成された送気溜２２に送られる。送気溜２２は床下空間３９に対して開口されており、送気溜２２にある調整された気体は、床下空間３９を介して、吹出口１７・１７・・・を通じて、建物１０の内部へ吹き出される。
【００２６】
前記吹出口１７は、建物１０の内部に配置される気体発生設備２５の周囲に配置される。但し、気体発生設備２５の周囲の床１６に吹出口１７・１７・・・を集中的に配置するとともに、床１６の他の部分においても適宜位置に吹出口１７・１７・・・を設けることもできる。
【００２７】
そして、建物１０の天井部では、天井１１が設けられ、該天井１１の上方に天井裏空間３８を介して基礎天井１９が設けられている。天井裏空間３８には、配管やその他機器の設置のために利用される。前記天井１１には、気体発生設備２５の上方において排気口１３が開口され、前記吹出口１７・１７・・・の上方において吸入口１２・１２・・・が開口される。但し、吹出口１７は、天井１１ではなく、建物１０の壁面上部に設けたり、天井１１及び建物１０壁面上方の両方に設けたりすることもできる。
【００２８】
各吸入口１２には吸入管２４が接続され、該吸入管２４は空調機２０へ気体を戻す戻気管２３に接続され。戻気管２３に開閉可能なバルブ２８が備えられる。
前記吸入口１２・１２・・・に取り込まれた気体は、吸入管２４から戻気管２３を通じて空調機２０へ戻される。従って、空調機２０から建物１０内部へ送られる気体は循環している。なお、空調機２０の吸気機能によって、戻気管２３及び吸入管２４は減圧状態となっており、建物１０内部の空気は、吸入口１２・１２・・・より強制的に吸入される。
【００２９】
また、前記排気口１３には、建物１０の外部と内部とを連通する排気管１５が接続されており、排気管１５には、排気ファン１４が備えられて、建物１０内部の気体は排気管１５を通じて強制的に排気される。
【００３０】
前記吸入口１２・１２・・・及び排気口１３には、それぞれに気体濃度検出手段２７・２７・・・が設けられる。なお、各吸入口１２に気体濃度検出手段２７を設けるかわりに、戻気管２３に一つの気体濃度検出手段２７を設けることもできる。
前記気体濃度検出手段２７は、気体発生設備２５から発生する特定気体３０の気体濃度を検出する手段である。
【００３１】
一方、排気管１５に設けられた排気ファン１４と、戻気管２３に設けられたバルブ２８とは、空調機２０に設けられた制御手段４０にて制御される。また、前記気体濃度検出手段２７は、制御手段４０に接続されており、検出信号を制御手段４０にて受信することができる。
【００３２】
そして、気体濃度検出手段２７において、予め設定された濃度以上の濃度の特定気体３０が検出されれば、その検出信号を受けた制御手段４０は、バルブ２８を閉じて吸入口１２・１２・・・からの吸気を停止するとともに、排気ファン１４の回転速度を上げて、排気口１３から排気管１５を通じてより速やかに特定気体３０を建物１０外部へ排気する。このとき、制御手段４０は警報手段４１を作動させて、特定気体３０が建物１０内に異常に存在していることを警報する。
【００３３】
［排出式の空調を利用した排気システム］
図２は、排出式の空調を利用した排気システムの概要を示す図である。
建物１０の床部では、基礎床１８の上に複数の吹出口１７・１７・・・が形成された床１６が設けられる。床１６と基礎床１８との間には床下空間３９が形成される。前記吹出口１７は、建物１０の床１６の適宜位置に設けられる。
空調機２０では、気体の温度や量の調整が行われ、調整された気体が、送気管２１を通じて建物１０の基礎床１８に形成された送気溜２２に送られる。送気溜２２は床下空間３９に対して開口されており、送気溜２２にある調整された気体は、床下空間３９を介して、吹出口１７・１７・・・を通じて、建物１０の内部へ吹き出される。
【００３４】
そして、建物１０の天井部では、天井１１が設けられ、該天井１１の上方に天井裏空間３８を介して基礎天井１９が設けられている。前記天井１１には、気体発生設備２５の上方において排気口１３が開口され、さらに、天井１１の適宜位置にも複数の排気口１３・１３・・・が開口される。
【００３５】
各排気口１３は天井裏空間３８に設けられた排気溜２６に開口している。排気溜２６には、建物１０の外部と内部とを連通する排気管１５が接続されており、排気管１５には、排気ファン１４が備えられて、建物１０内部の気体を排気管１５を通じて強制的に排気するようにしている。なお、排気ファン１４は、空調機２０に設けられた制御手段４０にて制御される
【００３６】
そして、前記排気溜２６又は排気管１５には、気体濃度検出手段２７が設けられる。前記気体濃度検出手段２７は、気体発生設備２５から発生する特定気体３０の気体濃度を検出する手段である。前記気体濃度検出手段２７は、制御手段４０に接続されており、検出信号を制御手段４０にて受信することができる。
【００３７】
そして、気体濃度検出手段２７において、予め設定された濃度以上の濃度の特定気体３０が検出されれば、その検出信号を受けた制御手段４０は、排気ファン１４の回転速度を上げて、排気口１３から排気管１５を通じてより速やかに特定気体３０を建物１０外部へ排気する。このとき、制御手段４０は警報手段４１を作動させて、特定気体３０が建物１０内に異常に存在していることを警報する。
【００３８】
上記、循環式の空調を利用した排気システム及び排出式の空調を利用した排気システムでは、床１６に設けられた吹出口１７・１７・・・より建物１０内部へ吹き出す気体が、天井１１に設けられた吸入口１２・１２・・・や排気口１３・１３・・・へ流れ込むことによって、床から天井へ上昇する気流が強制的に形成される。しかも、各吹出口１７の上方にそれぞれ吸入口１２が形成されるため、気体の流れは下方から上方へ向かう略直線的なものとなる。従って、万が一、気体発生設備２５から特定気体３０が漏洩して、該特定気体３０の気体の性質により上昇しようとする際に、気体発生設備２５の周囲に形成された上昇気流によって、特定気体３０は側方に広がって拡散することなく下方から上方へ略直線的に上昇して、排気口１３から排気管１５を通じて排気されることになる。
また、気体濃度検出手段２７を備えることにより、より迅速に特定気体３０の漏洩を検出することができるとともに、特定気体３０をより迅速に排気させるために空調システムを運転させることができる。
【００３９】
なお、上記循環式の空調を利用した排気システム及び排出式の空調を利用した排気システムにおいて、排気口１３への更に速やかな集気を図って、天井１１に勾配を形成する事もできる。
【００４０】
図３に示す如く、前記天井１１に勾配を設け、天井１１の最も高い位置に気体発生設備２５の直上に設ける排気口１３を配置する。なお、勾配を設けた天井１１は、傾斜型、山型、錘型とすることができる。
この場合、空調による気流の流れは、床１６と天井１１との間では、床１６から天井１１へ向かう直線的な流れであり、天井１１近傍では、天井１１の傾きに沿って上方に位置する排気口１３へ向かう流れとなる。このように、天井１１の傾きによって天井１１近傍においても気流の流れが形成されることになる。従って、天井１１近傍に至った気体は、速やかに排気口１３へ至ることができる。
【００４１】
例えば、図３（ａ）に示す如く、特定気体３０の漏洩方向が横向きである場合や、図３（ｂ）に示す如く、特定気体３０の発生場所が気体発生設備２５から離れた場所である場合に、特定気体３０は、空調による気流により直線的に上昇したのち、天井１１近傍まで至ると、天井１１において拡散することなく、速やかに排気口１３へ移動し、排出される。このように、天井１１が略水平に形成される場合と比較して、天井１１近傍での特定気体３０の拡散を抑制することができ、これにより、建物１０に残留する特定気体３０の量を低減させることができるので安全性の向上を図ることができる
【００４２】
続いて、天井１１と床１６の構造について詳細に説明する。
【００４３】
前述の如く、建物１０の天井部は、天井１１とその上方に設けられた基礎天井１９との二重天井構造であって、天井１１は、複数の天井パネルを接続して構成されたパネル式天井としている。また、建物１０の床部は、床１６とその下方に設けられた基礎床１８との二重床構造であって、床１６は複数の床パネルを接続して構成されたパネル式床としている。
なお、本実施例においては、天井部、床部ともにパネル式としているが、いずれか一方のみをパネル式とすることもできる。
【００４４】
図４に示す如く、天井パネルは、吸入口１２を形成した天井パネル３４と、排気口１３を形成した天井パネル３５と、開口を形成しない天井パネル３６との、各種類がある。
これらの天井パネル３４・３５・３６を接合して天井１１が形成される。
また、床パネルは、吹出口１７を形成した床パネル３２と、開口を形成しない床パネル３３との、各種類がある。
これらの床パネル３２・３３を接合して床１６が形成される。
【００４５】
例えば、気体発生設備２５が床１６の略中心に設置される場合、図４（ｃ）に示す如く、気体発生設備２５を取り囲むようにして、吹出口１７を備えた床パネル３２を配置し、その他の部分に床パネル３３を配置して、床１６を構成する。
このとき、循環式の空調を利用した排気システムでは、図４（ａ）に示す如く、気体発生設備２５の直上に排気口１３を備えた天井パネル３５を配置し、その周囲四方向に吸入口１２を備えた天井パネル３４を配置し、他の部分に天井パネル３６を配置して、天井１１を構成する。また、排出式の空調を利用した排気システムでは、図４（ｂ）に示す如く、気体発生設備２５の直上とその周囲四方向に排気口１３を備えた天井パネル３５を配置し、他の部分に天井パネル３６を配置して、天井１１を構成する。
【００４６】
上記図３に示す状態から、気体発生設備２５を壁際に配置するときには、図５（ｃ）に示す如く、気体発生設備２５を取り囲むようにして、吹出口１７を備えた床パネル３２を配置し、その他の部分に床パネル３３を配置して、床１６を構成する。
このとき、循環式の空調を利用した排気システムでは、図５（ａ）に示す如く、気体発生設備２５の直上に排気口１３を備えた天井パネル３５を配置し、その周囲二方向に吸入口１２を備えた天井パネル３４を配置し、他の部分に天井パネル３６を配置して、天井１１を構成する。また、排出式の空調を利用した排気システムでは、図５（ｂ）に示す如く、気体発生設備２５の直上とその周囲二方向に排気口１３を備えた天井パネル３５を配置し、他の部分に天井パネル３６を配置して、天井１１を構成する。
【００４７】
上述の如く、図４の状態から図５の状態に、気体発生設備２５の配置を変更するに伴って、天井１１に設けた吸入口１２及び排気口１３と、床１６に設けた吹出口１７の位置を変更することができる。この際、天井１１及び床１６はいずれもパネル式であるので、パネルを組み直すことで、気体発生設備２５に最適な状態に吸入口１２、排気口１３及び吹出口１７を配置することができる。
なお、吸入管２４及び排気管１５は、吸入口１２又は排気口１３の位置に応じて、管を延長・短縮したり、再接続したりして、配管し直す。これらの配管作業は、天井パネルを取り外して天井裏空間３８にて行うことができる。
【００４８】
これにより、建物１０に使用していた部材を廃棄することなく、天井パネル又は床パネルの組み替えや追加等によって、自由に床面積や設備配置を変更することができる。そして、これらの変更に伴って、空調により形成される気流を特定気体３０の上昇方向と同じ方向に維持することができる。
【図面の簡単な説明】
【００４９】
【図１】本発明の実施例に係る循環式の空調を利用した排気システムの構成を示す図。
【図２】本発明の実施例に係る排出式の空調を利用した排気システムの構成を示す図。
【図３】天井の別形態を示す図。
【図４】天井パネルと床パネルの配置構成を示す図。
【図５】天井パネルと床パネルの配置構成の別形態を示す図。
【符号の説明】
【００５０】
１０  建物
１１  天井
１２  吸入口
１３  排気口
１４  排気ファン
１５  排気管
１６  床
１７  吹出口
１８  基礎床
１９  基礎天井
２０  空調機
２５  気体発生設備
２６  排気溜
２７  気体濃度検出手段
２８  バルブ
３０  特定気体
【図１】
2006046766.tif 000003
【図２】
2006046766.tif 000004
【図３】
2006046766.tif 000005
【図４】
2006046766.tif 000006
【図５】
2006046766.tif 000007